(57)【特許請求の範囲】
【請求項１】
通信ネットワークを通じて接続されるサーバとクライアント装置とからなるサイト検索システムであって、
前記サーバは、
前記通信ネットワークに接続されている複数のＷｅｂサイトのそれぞれを特定するための情報を、適合する、動詞で表される語で特定される検索目的と名詞で表される語で特定される検索条件とに対応付けて、格納するサイトデータベースと、
前記クライアント装置からの検索要求を受け付ける検索要求受付手段と、
前記検索要求の受付日時から時間的要因を特定する特定手段と、
前記検索要求受付手段で受け付けた前記検索要求に含まれる検索用情報から前記検索目的と前記検索条件とを認識し、前記認識した前記検索目的および前記検索条件で前記サイトデータベースを検索するとともに、前記検索を行う場合に、前記時間的要因を特定する必要があるときには、前記時間的要因の情報を利用して、前記検索条件で前記検索目的の検索が可能な前記Ｗｅｂサイトを検出する検索手段と、
前記検索手段で検出した前記Ｗｅｂサイトをリスト化した検索結果情報を、前記検索要求してきた前記クライアント装置に送信する検索結果送信手段と、
前記クライアント装置から、前記検索結果情報に含まれるＷｅｂサイトを特定するための情報を受け取ったときに、前記特定するための情報で特定される前記Ｗｅｂサイトに対して、前記検索条件を含めた検索要求をし、その検索結果のＷｅｂページを取得して、前記クライアント装置に転送するＷｅｂページ送信手段と
を備え、
前記クライアント装置は、
前記検索目的と前記検索条件とを特定するための前記検索用情報の入力を受け付ける検索用情報受付手段と、
前記検索用情報受付手段で受け付けた前記検索用情報を含めた前記検索要求を前記サーバに送信する検索要求送信手段と、
前記サーバからの前記検索結果情報を受信して、前記検索結果情報を呈示する呈示手段と、
前記呈示手段で呈示された前記検索結果情報に含まれるＷｅｂサイトを特定するための情報を検索要求として前記サーバに送信し、前記検索結果のＷｅｂページを前記サーバから受信するＷｅｂページ受信手段と
を備えるサイト検索システム。
【請求項２】
前記クライアント装置の前記検索用情報受付手段は、前記検索目的と前記検索条件とを含む自由文により前記検索用情報の入力を受け付け、前記入力された自由文を形態素解析して、前記検索用情報となる語を使用者に対して明示する
ことを特徴とする請求項１に記載のサイト検索システム。
【請求項３】
前記クライアント装置は、
前記呈示手段に代えて、あるいは前記呈示手段に加えて、前記検索結果情報から取得した前記Ｗｅｂサイトに対して、前記検索条件による検索を実施するように依頼し、その依頼に応じて前記Ｗｅｂサイトから送られてくる検索結果を、前記検出した前記Ｗｅｂサイト別に、別枠で表示する手段を備える
ことを特徴とする請求項１または２に記載のサイト検索システム。
【請求項４】
前記サーバの検索手段は、前記検出した前記Ｗｅｂサイトに対して、前記検索条件による検索を実施させて、前記Ｗｅｂサイトからその検索結果を受信し、
前記サーバの検索結果送信手段は、前記Ｗｅｂサイトを特定するための情報に代えて、あるいは前記Ｗｅｂサイトを特定するための情報に加えて、前記Ｗｅｂサイト別の検索結果を前記クライアント装置に送り、
前記クライアント装置の前記呈示手段は、前記Ｗｅｂサイトに関する検索結果情報を呈示する代わりに、あるいは前記Ｗｅｂサイトに関する検索結果情報を呈示することに加えて、前記Ｗｅｂサイト別に、別枠で検索結果を表示する
ことを特徴とする請求項１〜請求項３に記載のサイト検索システム。
【請求項５】
前記クライアント装置から受け取った検索要求に含まれる検索用情報から認識した前記検索条件の情報を保持しておく手段と、
前記クライアント装置から、前記検索結果情報に含まれるＷｅｂサイトを特定するための情報を受け取ったときに、前記特定するための情報で特定される前記Ｗｅｂサイトに対して、前記保持している前記検索条件を含めた検索要求をし、その検索結果のＷｅｂページを取得して、前記クライアント装置に転送する手段と
を備えることを特徴とする請求項１〜請求項３に記載のサイト検索システム。
【請求項６】
前記サーバの検索結果送信手段は、前記検索結果情報に、前記検索手段で検出した前記Ｗｅｂサイトのアドレス情報を含めて、前記クライアント装置に送信し、
前記クライアント装置は、
前記検索用情報に含めた検索条件の情報を保持しておく手段と、
前記呈示手段で呈示された前記Ｗｅｂサイトに対して、前記サーバから取得した前記アドレス情報を用いて、前記保持している前記検索条件を含めて検索要求をし、その検索結果のＷｅｂページを取得するようにする手段を備える
ことを特徴とする請求項１〜請求項３に記載のサイト検索システム。
【請求項７】
通信ネットワークを通じて接続されるサーバとクライアント装置とからなるサイト検索システムにおけるサイト検索方法であって、
前記サーバは、
サイトデータベースに、前記通信ネットワークに接続されている複数のＷｅｂサイトのそれぞれを特定するための情報を、適合する、動詞で表される語で特定される検索目的と名詞で表される語で特定される検索条件とに対応付けて、格納する工程と、
前記クライアント装置からの検索要求を受け付ける検索要求受付工程と、
前記検索要求の受付日時から時間的要因を特定する特定工程と、
前記検索要求受付工程で受け付けた前記検索要求に含まれる検索用情報から前記検索目的と前記検索条件とを認識し、前記認識した前記検索目的および前記検索条件で前記サイトデータベースを検索するとともに、前記検索を行う場合に、前記時間的要因を特定する必要があるときには、前記時間的要因の情報を利用して、前記検索条件で前記検索目的の検索が可能な前記Ｗｅｂサイトを検出する検索工程と、
前記検索工程で検出した前記Ｗｅｂサイトをリスト化した検索結果情報を、前記検索要求してきた前記クライアント装置に送信する検索結果送信工程と、
前記クライアント装置から、前記検索結果情報に含まれるＷｅｂサイトを特定するための情報を受け取ったときに、前記特定するための情報で特定される前記Ｗｅｂサイトに対して、前記検索条件を含めた検索要求をし、その検索結果のＷｅｂページを取得して、前記クライアント装置に転送するＷｅｂページ送信工程と
を備え、
前記クライアント装置は、
前記検索目的と前記検索条件とを特定するための前記検索用情報の入力を受け付ける検索用情報受付工程と、
前記検索用情報受付工程で受け付けた前記検索用情報を含めた前記検索要求を前記サーバに送信する検索要求送信工程と、
前記サーバからの前記検索結果情報を受信して、前記検索結果情報を呈示する呈示工程と、
前記呈示工程で呈示された前記検索結果情報に含まれるＷｅｂサイトを特定するための情報を検索要求として前記サーバに送信し、前記検索結果のＷｅｂページを前記サーバから受信するＷｅｂページ受信工程と
を備えるサイト検索方法。
【発明の詳細な説明】
【技術分野】
【０００１】
この発明は、検索目的に的確に応じたＷｅｂサイトを検索結果として検出することができるサイト検索システムおよび方法に関する。
【背景技術】
【０００２】
従来の一般的な検索エンジンによるインターネット上のＷｅｂ検索は、類義語辞書利用の単語による検索である。すなわち、ユーザは、通常、１以上のキーワード（単語）を、入力して検索エンジンに対して検索要求する。検索エンジンは、入力されたキーワードと一致する単語、あるいは類義語辞書に基づき、指定されたキーワードの類義語と一致する単語が含まれるＷｅｂサイトやＷｅｂページを検索して、検索結果として抽出するようにする（例えば特許文献１（特開２００３−１０８５８４号公報参照））。
【０００３】
また、特許文献２（特開２００９−６４２１３号公報）や特許文献３（特開２００９−１４００３２号公報）には、キーワード（単語）ではなく、自然言語文（自由文）を検索用語として入力する検索システムも開示されている。しかし、これら特許文献２および特許文献３に開示されている検索方法も、入力された自然言語文から、検索のためのキーワードを特定して、検索は類義語辞書を利用した単語検索により行うものである。
【先行技術文献】
【特許文献】
【０００４】
【特許文献１】特開２００３−１０８５８４号公報
【特許文献２】特開２００９−６４２１３号公報
【特許文献３】特開２００９−１４００３２号公報
【発明の概要】
【発明が解決しようとする課題】
【０００５】
上述のようなキーワードの単語による類義語辞書利用の検索の場合には、キーワードおよびその類義語と一致する語が含まれるＷｅｂサイトやＷｅｂページであれば、その全てが検索結果として抽出されてしまう。
【０００６】
一方、広告料収入を獲得する目的で、Ｗｅｂサイトへのアクセス回数を上げるようにするために、Ｗｅｂサイトの運営者は、当該のＷｅｂサイトやＷｅｂページに関連が有るか無いかに関係なく、できるだけ検索結果として抽出されるようになる語を、ＷｅｂサイトやＷｅｂページに含めておくようにすることが良く行なわれている。
【０００７】
そのため、キーワードの単語による類義語辞書利用の検索の場合には、ユーザが意図する検索目的と合致しないＷｅｂサイトの検索結果が無尽蔵に抽出されていまい、ユーザが所望するＷｅｂページに辿り着くのに、多大の時間と労力を必要としてしまうという問題がある。
【０００８】
この発明は、以上の問題点を改善することができるサイト検索システムを提供することを目的とする。
【課題を解決するための手段】
【０００９】
上記の課題を解決するために、この発明は、
通信ネットワークを通じて接続されるサーバとクライアント装置とからなるサイト検索システムであって、
前記サーバは、
前記通信ネットワークに接続されている複数のＷｅｂサイトのそれぞれを特定するための情報を、適合する、動詞で表される語で特定される検索目的と名詞で表される語で特定される検索条件とに対応付けて、格納するサイトデータベースと、
前記クライアント装置からの検索要求を受け付ける検索要求受付手段と、
前記検索要求の受付日時から時間的要因を特定する特定手段と、
前記検索要求受付手段で受け付けた前記検索要求に含まれる検索用情報から前記検索目的と前記検索条件とを認識し、前記認識した前記検索目的および前記検索条件で前記サイトデータベースを検索するとともに、前記検索を行う場合に、前記時間的要因を特定する必要があるときには、前記時間的要因の情報を利用して、前記検索条件で前記検索目的の検索が可能な前記Ｗｅｂサイトを検出する検索手段と、
前記検索手段で検出した前記Ｗｅｂサイトをリスト化した検索結果情報を、前記検索要求してきた前記クライアント装置に送信する検索結果送信手段と、
前記クライアント装置から、前記検索結果情報に含まれるＷｅｂサイトを特定するための情報を受け取ったときに、前記特定するための情報で特定される前記Ｗｅｂサイトに対して、前記検索条件を含めた検索要求をし、その検索結果のＷｅｂページを取得して、前記クライアント装置に転送するＷｅｂページ送信手段と
を備え、
前記クライアント装置は、
前記検索目的と前記検索条件とを特定するための前記検索用情報の入力を受け付ける検索用情報受付手段と、
前記検索用情報受付手段で受け付けた前記検索用情報を含めた前記検索要求を前記サーバに送信する検索要求送信手段と、
前記サーバからの前記検索結果情報を受信して、前記検索結果情報を呈示する呈示手段と、
前記呈示手段で呈示された前記検索結果情報に含まれるＷｅｂサイトを特定するための情報を検索要求として前記サーバに送信し、前記検索結果のＷｅｂページを前記サーバから受信するＷｅｂページ受信手段と
を備えるサイト検索システムを提供する。
【００１０】
サーバは、クライアント装置からの検索要求を受け付けて、その検索要求に含まれる検索用情報から検索目的と検索条件とを認識し、その認識した検索目的および検索条件、さらに、時間的要因を特定する必要があるときには、時間的要因の情報を利用してサイトデータベースを検索する。そして、サーバは、その検索条件で検索目的の検索が可能なＷｅｂサイトをサイトデータベースから検出し、検出したＷｅｂサイトをリスト化した検索結果情報を、検索要求してきたクライアント装置に送信する。そして、サーバは、クライアント装置から検索結果情報に含まれるＷｅｂサイトを特定するための情報を受け取ると、特定されたＷｅｂサイトへ検索条件を含めた検索要求を行い、その検索結果のＷｅｂサイトを取得してクライアント装置へ転送する。
【００１１】
クライアント装置は、サーバからの検索結果情報を受信して、指定した検索条件で、指定した検索目的の検索が可能なＷｅｂサイトに関する検索結果情報を呈示する。そして、検索結果情報に含まれるＷｅｂサイトを特定するための情報を検索要求としてサーバへ送信し、検索結果のＷｅｂページをサーバから受信する。
【００１２】
したがって、クライアント装置のユーザは、自分が指定した検索条件で、指定した検索目的の検索が可能であるＷｅｂサイトを知ることができ、自分の検索目的と合致しないＷｅｂサイトの検索結果を排除することができる。
【発明の効果】
【００１３】
この発明によれば、指定された検索条件で、指定された検索目的の検索が可能であるＷｅｂサイトのみが検索結果として抽出されて、検索目的と合致しないＷｅｂサイトが検索結果として抽出されることを排除することができる。
【図面の簡単な説明】
【００１４】
【図１】この発明によるサイト検索システムの実施形態の全体の構成例を説明するための図である。
【図２】この発明によるサイト検索システムの実施形態を構成するサイト検索支援サーバの構成例を示すブロック図である。
【図３】図２の例のサイト検索支援サーバが備えるサイトデータベースの記憶内容の例を示す図である。
【図４】この発明によるサイト検索システムの実施形態を構成するクライアント装置の例としての携帯電話端末の構成例を示すブロック図である。
【図５】この発明によるサイト検索システムの実施形態を構成するクライアント装置の処理動作例を説明するためのフローチャートの一部を示す図である。
【図６】この発明によるサイト検索システムの実施形態を構成するクライアント装置の処理動作例を説明するためのフローチャートの一部を示す図である。
【図７】この発明によるサイト検索システムの実施形態を構成するクライアント装置の処理動作例を説明するためのフローチャートの一部を示す図である。
【図８】この発明によるサイト検索システムの実施形態を構成するクライアント装置の処理動作例を説明するために用いる図である。
【図９】この発明によるサイト検索システムの実施形態を構成するクライアント装置の処理動作例を説明するために用いる図である。
【図１０】この発明によるサイト検索システムの実施形態を構成するサイト検索支援サーバの処理動作例を説明するためのフローチャートを示す図である。
【図１１】この発明によるサイト検索システムの他の実施形態を説明するために用いる図である。
【図１２】この発明によるサイト検索システムの他の実施形態を説明するために用いる図である。
【発明を実施するための形態】
【００１５】
図１は、この発明によるサイト検索システムの実施形態の全体の構成例を示す図である。この実施形態のサイト検索システムにおいては、図１に示すように、検索サイト（Ｗｅｂサイト）のサイト検索支援サーバ１と、クライアント装置の例としてのパソコン２ａや携帯電話端末２ｂなどが通信ネットワーク３を通じて接続されて構成されている。通信ネットワーク３を構成するインターネットには、多数のＷｅｂサイト４ａ，４ｂ，４ｃ，４ｄ，・・・が接続されている。
【００１６】
パソコン２ａは、パソコン本体２１と、表示装置２２と、操作入力手段としてのマウス２３と、キーボード２４と、を備える。携帯電話端末２ｂは、この例では、いわゆるスマートフォンと呼ばれる端末の例であり、例えばＬＣＤ（Liquid  Crystal  Display）からなる表示画面２５には、操作入力手段としてのタッチパネル２６が貼り付けられて設けられている。
【００１７】
パソコン２ａや携帯電話端末２ｂのクライアント装置は、サイト検索支援サーバ１にネットワーク３を通じてアクセスしてサイト検索サービスの要求をすることにより、当該サイト検索サービスの提供を支援するプログラムを受信して、このプログラムの支援の下、サイト検索サービスの提供を受けることができるように構成される。
【００１８】
そして、この実施形態では、サイト検索支援サーバ１を備える検索サイトにおいては、インターネットに接続されている多数のＷｅｂサイトを、「探したい」、「予約したい」、「知りたい」、「教えて欲しい」・・・などの予め想定された検索目的により分類する。また、それぞれのＷｅｂサイトで、前記検索目的で検索が可能となる種々の検索条件、例えば「場所」、「用途（例えばデート向きか、ファミリー向きかなど）」、「時間（例えば朝向きか、昼向きか、夜向きかなど）」、「バー、レストラン、スーパーなどの店舗種別」などを認定する。
【００１９】
そして、この実施形態では、サイトデータベース１１０には、各Ｗｅｂサイト毎に、少なくともそのＷｅｂサイトの識別情報およびそのＷｅｂサイトのアドレス情報（ＵＲＬ（Uniform Resource Locator））と、前記検索目的および前記検索条件とが対応付けられて格納されている。なお、この実施形態では、Ｗｅｂサイトの識別情報としては、例えばサイト名が用いられる。Ｗｅｂサイトの識別情報やＵＲＬは、Ｗｅｂサイトを特定するための情報となる。
【００２０】
パソコン２ａや携帯電話端末２ｂなどのクライアント装置は、サイト検索サービスの提供を支援するプログラム（以下、支援プログラムという）の支援の下、サイト検索支援サーバ１に検索要求を送るが、この実施形態では、その検索要求には、検索条件のみならず、検索目的を特定する検索用情報が含まれている。この場合に、この実施形態では、検索用情報は、キーワード（単語）として入力されるのではなく、自由文として入力される。
【００２１】
ただし、この例では、検索用情報の入力画面には、「探したい」、「予約したい」、「知りたい」、「教えて欲しい」・・・などの予め想定されている検索目的を表わす動詞を含んで自由文を入力するようにユーザに促すメッセージが表示される。したがって、この実施形態では、ユーザは、このメッセージにしたがって、検索目的を表わす動詞を含む自由文を検索用情報の入力画面において入力する。
【００２２】
支援プログラムは、形態素解析機能を有しており、入力された自由文を、形態素解析して、検索条件と検索目的となる語を表示画面において明示するようにする。例えば、「六本木でデートに向くバーを探したい」という自由文が検索用情報の入力画面において入力された場合には、支援プログラムにより、「（六本木）で（デート）に向く（バー）を「探したい」」というように、検索条件となる名詞は、例えば円弧の括弧で囲まれて明示され、検索目的となる動詞は、例えば鍵括弧で囲まれて明示される。これにより、ユーザは、クライアント装置からサイト検索支援サーバ１に対して、検索条件および検索目的の語として何が送られて検索要求がなされるかを知ることができる。
【００２３】
そして、クライアント装置のユーザが検索要求の発信指示をしたときには、クライアント装置の支援プログラムは、検索条件である名詞と検索目的である動詞とを検索用情報として含めたＷｅｂサイトの検索要求を、サイト検索支援サーバ１に送る。
【００２４】
サイト検索支援サーバ１は、クライアント装置からのＷｅｂサイトの検索要求を受け取ると、その検索要求に含まれる検索用情報から、検索目的と検索条件とを認識し、その認識した検索目的と検索条件を用いて、サイトデータベース５を検索する。そして、サイト検索支援サーバ１は、検索結果として、サイトデータベース５に格納されている多数のＷｅｂサイトの中から、前記検索条件で前記検索目的の検索が可能なＷｅｂサイトを抽出し、その抽出したＷｅｂサイトのサイト名の一覧リストの情報を含む回答情報を生成して、クライアント装置に送信する。
【００２５】
クライアント装置の支援プログラムは、サイト検索支援サーバ１から回答情報を受信すると、その回答情報から抽出した、検索要求において指定した検索条件で、指定した検索目的の検索が可能なＷｅｂサイトのサイト名の一覧リストを、ディスプレイ画面に表示するようにする。
【００２６】
そして、この実施形態では、クライアント装置のユーザが、その一覧リストの中の一つのＷｅｂサイトを選択してサイト検索支援サーバ１に発信する操作をすると、支援プログラムは、その選択されたＷｅｂサイトのサイト名と、検索要求に含めた検索条件とを含めた通知を、サイト検索支援サーバ１に送る。
【００２７】
この通知を受信したサイト検索支援サーバ１は、選択されたＷｅｂサイトに前記検索条件を送って検索依頼する。すると、この検索依頼を受け取ったＷｅｂサイトは、前記検索条件に合致するＷｅｂページをサイト検索支援サーバ１に送ってくるので、サイト検索支援サーバ１は、受け取ったＷｅｂページを、クライアント装置に転送する。クライアント装置の支援プログラムは、受信したＷｅｂページをディスプレイ画面に表示する。
【００２８】
以上のようにして、この実施形態では、クライアント装置のユーザは、検索条件のみではなく、検索目的をも検索用情報として含めたＷｅｂサイトの検索要求を、サイト検索支援サーバ１に送ることで、サイト検索支援サーバ１から、検索目的に合致しないＷｅｂサイトを排除した回答情報を得ることができる。したがって、ユーザは、自分が所望するＷｅｂページを、迅速に且つ的確に見つけ出すことができるようになる。
【００２９】
なお、この実施形態では、クライアント装置は、サイト検索支援サーバ１から受け取った回答情報のＷｅｂサイトのサイト名の一覧からユーザによりＷｅｂサイトが選択されたとき、そのＷｅｂサイトの識別情報（サイト名）に加えて、Ｗｅｂサイトの検索要求に含めた検索条件を再度、サイト検索支援サーバ１に送るようにした。しかし、サイト検索支援サーバ１は、Ｗｅｂサイトの検索要求に含まれる検索条件を保持しておけば、その保持した検索条件を用いることができる。その場合には、クライアント装置から、Ｗｅｂサイトのサイト名などの識別情報のみをサイト検索支援サーバ１に通知するようにして、再度、検索条件をサイト検索支援サーバ１に送信することは省略することができる。
【００３０】
次に、この実施形態のサイト検索システムのサイト検索支援サーバ１およびクライアント装置の構成および動作を、より具体的に説明する。
【００３１】
［サイト検索支援サーバのハードウエア構成例］
図２は、サイト検索支援サーバ１のハードウエア構成例を示すブロック図である。すなわち、サイト検索支援サーバ１は、制御部１０１に対して、システムバス１００を通じて、通信インターフェース１０２、受信情報処理部１０３、送信情報処理部１０４、検索目的および検索条件特定部１０５、サイト検索部１０６、検索結果生成部１０７、時計部１０８、サイトデータベース１１０、のそれぞれが接続されて構成されている。
【００３２】
制御部１０１は、コンピュータで構成されており、このサイト検索支援サーバ１の全体の処理を制御する。
【００３３】
サイトデータベース１１０は、前述したように、予め想定される検索目的によりインターネット上の複数のＷｅｂサイトを分類し、その分類結果としてのＷｅｂサイトの情報を格納している。
【００３４】
図３に、サイトデータベース１１０に格納される情報の一例を示す。すなわち、図３の例では、「探したい」、「予約したい」、「知りたい」、「教えて欲しい」、「買いたい」、「売りたい」、「相談したい」、「もらいたい」・・・などの検索目的別に、当該検索目的の検索が可能なＷｅｂサイトのサイト名およびインターネット上のアドレス情報（ＵＲＬ）が格納される。ここで、Ｗｅｂサイトのアドレス情報としては、当該Ｗｅｂサイトの該当ページのＵＲＬが格納される。
【００３５】
そして、サイトデータベース１１０には、各Ｗｅｂサイト毎に、当該のＷｅｂサイトで上記の検索目的で検索可能となる検索条件の全てが、対応付けられて格納されている。この検索条件は、前述したように、「場所（店舗位置など）」、「用途（例えばデート向きか、ファミリー向きかなど）」、「時間（例えば朝向きか、昼向きか、夜向きかなど）」、「バー、レストラン、スーパーなどの店舗種別」などであり、ユーザのいわゆるＴＰＯに応じた条件である。なお、この実施形態では、検索目的は、予め想定されたものに限定されるが、検索条件については、そのような限定は設けない。
【００３６】
こうして、サイトデータベース１１０には、インターネットに接続されているＷｅｂサイトのそれぞれについて、各Ｗｅｂサイト毎に、少なくともＷｅｂサイトのサイト名およびＷｅｂサイトのアドレス情報と、検索目的および検索条件とが対応付けられて格納されている。
【００３７】
通信インターフェース１０２は、通信ネットワーク３に接続されている。通信インターフェース１０２は、通信ネットワーク３を通じて受信した受信情報を、受信情報処理部１０３に転送し、また、送信情報処理部１０４から送られてくる送信情報を、通信ネットワーク３を通じて通信相手に宛てて送信する。
【００３８】
受信情報処理部１０３は、通信インターフェース１０２からの受信情報を解析し、制御部１０１の制御にしたがって、システムバス１００を通じて必要な各部に受信情報を転送する。例えば、受信情報処理部１０３は、クライアント装置からの検索要求を受信したときには、それを制御部１０１に通知すると共に、検索要求に含まれる検索用情報を検索目的および検索条件特定部１０５に転送する。
【００３９】
検索目的および検索条件特定部１０５は、受信した検索用情報から、クライアント装置のユーザにより指定された検索目的および検索条件を抽出して特定する。そして、特定した検索目的および検索条件を、システムバス１００を通じてサイト検索部１０６に転送する。
【００４０】
サイト検索部１０６は、この検索目的および検索条件の情報を受けて、サイトデータベース１１０を検索する。すなわち、サイト検索部１０６は、受け取った検索目的に適合するＷｅｂサイトであって、受け取った検索条件での検索が可能なＷｅｂサイトの全てを、サイトデータベース１１０から抽出する。そして、サイト検索部１０６は、抽出した検索結果のＷｅｂサイトのサイト名の全てを、検索結果生成部１０７に転送する。
【００４１】
検索結果生成部１０７は、この実施形態では、サイト検索部１０６から受けた検索結果のＷｅｂサイトのサイト名の一覧リストの情報を、クライアント装置に回答する検索結果情報として生成し、生成した検索結果情報を送信情報処理部１０４に供給する。
【００４２】
送信情報処理部１０４は、制御部１０１の制御にしたがってシステムバス１００を通じて送られてくる情報から、通信ネットワーク３に送出する送信情報を生成し、通信インターフェース１０２に転送する。
【００４３】
時計部１０８は、カレンダ機能を備える日時情報の発生部である。この実施形態では、サイト検索支援サーバ１の制御部１０１は、検索要求を受信したときに、この時計部１０８の日時情報を取得し、検索要求受信日時を示す情報として認定するようにする。また、サイト検索部１０６は、検索目的および検索条件特定部１０５から受け取った検索条件による検索を行う場合に、当該検索要求時点が朝か、昼か、夜か、あるいは、春か、夏か、秋か、冬か、などの時間的要因を特定する必要がある場合には、この時計部１０８からの日時情報から、それらを特定するようにする。
【００４４】
なお、図２のサイト検索支援サーバ１のハードウエア構成において、受信情報処理部１０３、送信情報処理部１０４、検索目的および検索条件特定部１０５、サイト検索部１０６および検索結果生成部１０７の処理機能は、制御部１０１を構成するコンピュータが、ソフトウエア処理機能として実行するように構成することもできる。
【００４５】
［クライアント装置のハードウエア構成例］
図４は、この発明によるクライアント装置の実施形態としての携帯電話端末２ｂのハードウエア構成例を示す図である。
【００４６】
すなわち、図４に示すように、この例の携帯電話端末２ｂは、マイクロコンピュータで構成される制御部２０１が、システムバス２００を通じて、無線通信回路部２０２、送受信情報処理部２０３、通話回路部２０４、ディスプレイインターフェース２０５、タッチパネルインターフェース２０６、ＧＰＳ測位部２０７、メモリ２０８、のそれぞれと接続されている。
【００４７】
制御部２０１は、携帯電話端末２ｂの電話機能やその他の各種制御処理を制御するためのものである。この例では、制御部２０１は、メモリ２０８に格納されるプログラムを実行して、後述するサイト検索支援サーバ１におけるサイト検索サービスを受けるための処理などの種々のアプリケーション処理を実行制御するようにする。
【００４８】
無線通信回路部２０２は、携帯電話網の基地局を通じて通信ネットワーク３に接続するためのものである。送受信情報処理部２０３は、無線通信回路部２０２を通じて受信される情報を解析し、制御部２０１の制御にしたがって、システムバス２００を通じて必要な各部に転送すると共に、通信ネットワークに送出する送信情報を生成し、無線通信回路部２０２に転送する。
【００４９】
通話回路部２０４は、電話音声の処理であり、受話器を構成するスピーカ２０９と送話器を構成するマイクロホン２１０が接続されている。
【００５０】
ディスプレイインターフェース２０５には、例えばＬＣＤ（Liquid  Crystal  Display）からなるディスプレイ２１１が接続される。ディスプレイ２１１の表示画面上にはタッチパネル２１２が設けられており、このタッチパネル２１２は、タッチパネルインターフェース２０６に接続されている。
【００５１】
この実施形態では、操作ボタンなどの操作入力は、このタッチパネル２１２を通じて行えるようにされており、ディスプレイ２１１の表示画面には、制御部２０１の制御にしたがって、文字入力キー操作画面や設定受付画面などが表示される。使用者は、このタッチパネル２１２に対して、指でタッチ操作したり、指でスライドさせたりする所定の振る舞いをすることにより、所定の操作入力をすることができる。
【００５２】
タッチパネルインターフェース２０６は、タッチパネル２１２を通じた使用者による操作指示入力に応じた操作検出信号を、システムバス２００を通じて制御部２０１に送出する。制御部２０１は、タッチパネルインターフェース２０６から受けた操作検出信号から、使用者により、どのような操作入力がされたかを検出し、その検出結果に応じた制御処理を行う。
【００５３】
ＧＰＳ測位部２０７は、ＧＰＳ衛星からの電波を受信して、携帯電話端末２ｂの現在位置を測位して検知し、その検知した現在位置の位置情報をシステムバス２００を通じて制御部２０１に転送する。この実施形態では、携帯電話端末２ｂの制御部２０１は、支援プログラムを実行してサイト検索支援サーバ１に検索要求を送る際に、このＧＰＳ測位部２０７で測位された現在位置の位置情報を、検索要求に含めるようにする。
【００５４】
この現在位置の位置情報は、検索用情報に含まれる検索条件に、例えば「現在地」や、「現在地周辺」などというような場所に関する検索条件が含まれる場合に、サイト検索支援サーバ１において用いられる。すなわち、サイト検索支援サーバ１は、認定した検索条件に、「現在地」や「現在地周辺」などというように場所の指定情報が含まれる場合には、クライアント装置としての携帯電話端末２ｂから送られてくる現在位置の位置情報を、地図サイトに送って、現在地名を特定し、その特定した現在地名を用いて、検索を実行するようにする。
【００５５】
メモリ２０８は、携帯電話端末２ｂで用いられる種々のデータの格納部であり、この実施形態では、サイト検索支援サーバ１から取得する支援プログラムなどのアプリケーションプログラムの記憶エリアであるプログラム記憶部２０８Ｍを備えている。
【００５６】
［サイト検索支援サービスにおける処理動作］
＜クライアント装置における処理動作＞
次に、携帯電話端末２ｂの場合を例に、クライアント装置におけるサイト検索支援サービス実行時の処理動作例の流れを、図５〜図７のフローチャートを参照しながら以下に説明する。
【００５７】
携帯電話端末２ｂの制御部２０１は、タッチパネルインターフェース２０６の出力を監視して、サイト検索支援サービスを受けるための起動指示入力があったか否か判別し（ステップＳ１）、起動指示入力がなかったと判別したときには、その他の処理を実行し（ステップＳ２）、その処理の終了後、処理をステップＳ１に戻す。
【００５８】
ステップＳ１で、サイト検索支援サービスを受けるための起動指示入力があったと判別したときには、制御部２０１は、メモリ２０８に格納されている支援プログラムを起動させて、その処理動作を開始する（ステップＳ３）。そして、制御部２０１は、その支援プログラムにしたがって、以下の処理を行う。
【００５９】
先ず、制御部２０１は、ディスプレイ２１１の表示画面に、検索目的および検索条件を特定するための検索用情報を、自由文により入力するように促すメッセージを伴う検索用情報の入力画面を表示する（ステップＳ４）。図８は、ディスプレイ２１１の表示画面に表示される検索用情報の入力画面の一例を示すもので、文字入力枠２２１に、検索用情報を自由文として入力するものとなる。このとき、図８（Ａ）に示すように、この検索用情報の入力画面には、「探したい」、「予約したい」、「知りたい」、「教えて欲しい」、「買いたい」、「売りたい」、「相談したい」、「もらいたい」・・・などの検索目的を表わす動詞を、自由文に含めて入力するようにユーザに案内するメッセージが表示される。
【００６０】
そして、制御部２０１は、タッチパネルインターフェース２０６の出力を監視して、自由文の入力を受け付けたか否か判別する（ステップＳ５）。このステップＳ５で、自由文の入力を受け付けてはいないと判別したときには、制御部２０１は、支援プログラムの終了操作があったか否か判別し（ステップＳ６）、終了操作があったと判別したときには、支援プログラムを終了し（ステップＳ７）、処理をステップＳ１に戻す。また、ステップＳ６で、終了操作がなかったと判別したときには、制御部２０１は、処理をステップＳ５に戻す。
【００６１】
ステップＳ５で、自由文の入力を受け付けたと判別したときには、制御部２０１は、受け付けた自由文を形態素解析して、各品詞に分け、検索に有効な語を判定する（ステップＳ８）。そして、制御部２０１は、受け付けた自由文における検索目的の動詞が明確であるか否か判別する（ステップＳ９）。
【００６２】
このステップＳ９で、自由文における検索目的の動詞が明確ではないと判別したときには、制御部２０１は、検索目的を明確化した語を含む入力を促すメッセージをディスプレイ２１１の表示画面に表示する（ステップＳ１０）。図示は省略するが、このときのメッセージには、検索目的として想定されている、「探したい」、「予約したい」、「知りたい」、「教えて欲しい」、「買いたい」、「売りたい」、「相談したい」、「もらいたい」・・・などの動詞の一覧が明示される。したがって、ユーザは、その一覧から必要な検索目的を表わす動詞を選択して入力することができる。このステップＳ１０の処理の後、制御部２０１は、処理をステップＳ５に戻し、ユーザによる検索用情報の入力を待ち、このステップＳ５以降の処理を繰り返す。
【００６３】
また、ステップＳ９で、自由文における検索目的の動詞が明確であると判別したときには、制御部２０１は、図８（Ｂ）に示すように、表示画面の文字入力枠２２１に表示されている検索用情報の自由文について、ステップＳ８での形態素解析の結果から、検索に有効な語を、前述したようにして明示する（図６のステップＳ２１）。
【００６４】
この検索に有効な語の明確化表示により、ユーザは、検索用情報の自由文が受け付けられたことと、検索に有効な語とを認識することができる。そして、制御部２０１は、検索用情報の受付を完了したことから、文字入力枠２２１の下方に表示する「実行」ボタン２２２の操作を可能とする。この「実行」ボタンのクリック操作は、サイト検索支援サーバ１への検索要求の発信指示となる。なお、図８（Ａ）は、自由文の入力途中の段階を示しており、このときには、「実行」ボタン２２２は、グレーアウト表示されていて、操作不能であることを示す状態となっている。そして、検索用情報の自由文が確定すると、図８（Ｂ）に示すように、「実行」ボタン２２２が明示表示されて、操作可能であることをユーザに報知する。
【００６５】
次に、制御部２０１は、「実行」ボタン２２２がクリック操作されたか否かにより、検索要求の発信指示がなされたか否か判別する（ステップＳ２２）。このステップＳ２２で、検索要求の発信指示がなされていないと判別したときには、制御部２０１は、入力文が変更されたか否か判別する（ステップＳ２３）。このステップＳ２３で、入力文が変更されたと判別したときには、制御部２０１は、処理をステップＳ５に戻し、「実行」ボタン２２２も操作不能の状態に戻す。
【００６６】
また、ステップＳ２３で、入力文が変更されてはいないと判別したときには、制御部２０１は、支援プログラムの終了操作があったか否か判別し（ステップＳ２４）、終了操作があったと判別したときには、支援プログラムを終了し（ステップＳ２５）、その後、処理をステップＳ１に戻す。また、ステップＳ２４で、終了操作がなかったと判別したときには、制御部２０１は、処理をステップＳ２２に戻す。
【００６７】
また、ステップＳ２２で、検索要求の発信指示がなされたと判別したときには、制御部２０１は、ステップＳ８での形態素解析の結果、検索に有効な語とされた検索条件の語および検索目的の語を検索用情報として含む検索要求を、サイト検索支援サーバ１に送信する（ステップＳ２６）。なお、入力された自由文を検索用情報として、サイト検索支援サーバ１に送信するようにしても良い。
【００６８】
この検索要求に対しては、サイト検索支援サーバ１は、検索結果情報を送ってくるので、制御部２０１は、この検索結果情報の受信を待つ（ステップＳ２７）。そして、このステップＳ２７で、サイト検索支援サーバ１からの検索結果情報を受信したと判別したときには、制御部２０１は、例えば図９に示すように、受信した検索結果情報のＷｅｂサイトの一覧リスト２２３を、ディスプレイ２１１の表示画面に表示する（ステップＳ２８）。
【００６９】
この検索結果情報のＷｅｂサイトの一覧リスト２２３に表示されているＷｅｂサイトは、ユーザが指定した検索条件で、指定した検索目的の検索が可能なもののみであり、その他のＷｅｂサイトは排除されている。この実施形態では、ユーザが、この一覧リスト２２３から更に検索を行いたいＷｅｂサイトを選択することができるようにされており、選択中のＷｅｂサイト名は反転表示されている。そして、ユーザが、一覧リスト２２３の近傍において表示画面に設けられている「実行」ボタン２２４を押下すると、その選択されたＷｅｂサイトの識別情報がサイト検索支援サーバ１に送られる。
【００７０】
そこで、制御部２０１は、この一覧リスト２２３においてＷｅｂサイトの選択が実行され、かつ、「実行」ボタン２２４がクリック操作されたか否かにより、一覧リストから選択されたＷｅｂサイトの通知要求があったか否か判別する（ステップＳ２９）。この通知要求は、その選択されたＷｅｂサイトに対して、ステップＳ８で認定した検索条件による検索要求を意味している。
【００７１】
このステップＳ２９で、一覧リストから選択されたＷｅｂサイトの通知要求はないと判別したときには、制御部２０１は、支援プログラムの終了操作があったか否か判別し（ステップＳ３０）、終了操作があったと判別したときには、支援プログラムを終了し（ステップＳ３１）、その後、処理をステップＳ１に戻す。また、ステップＳ３０で、終了操作がなかったと判別したときには、制御部２０１は、処理をステップＳ２９に戻す。
【００７２】
ステップＳ２９で、一覧リストから選択されたＷｅｂサイトの通知要求が有ったと判別したときには、制御部２０１は、選択されたＷｅｂサイトの識別情報として、この例では、サイト名の情報をサイト検索支援サーバ１に通知すると共に、ステップＳ８で特定した検索条件をサイト検索支援サーバ１に再度通知する（ステップＳ３２）。
【００７３】
この通知に対しては、前述したように、サイト検索支援サーバ１は、指定されたＷｅｂサイトに対して指定された検索条件による検索を実行することで、その検索結果としてのＷｅｂページを送ってくる。そこで、制御部２０１は、サイト検索支援サーバ１からの検索結果としてのＷｅｂページの受信を待つ（ステップＳ３３）。
【００７４】
そして、このステップＳ３３で、サイト検索支援サーバ１からの検索結果としてのＷｅｂページを受信したと判別したときには、受信したＷｅｂページを、ディスプレイ２１１の表示画面に表示する（図７のステップＳ４１）。
【００７５】
その後、制御部２０１は、支援プログラムの終了操作があったか否か判別し（ステップＳ４２）、終了操作があったと判別したときには、支援プログラムを終了し（ステップＳ４３）、処理をステップＳ１に戻す。また、ステップＳ４３で、終了操作がなかったと判別したときには、制御部２０１は、処理をステップＳ３３に戻す。
【００７６】
＜サイト検索支援サーバ１における処理動作＞
次に、サイト検索支援サーバ１におけるサイト検索支援サービス実行時の処理動作例の流れを、図１０のフローチャートを参照しながら以下に説明する。
【００７７】
すなわち、サイト検索支援サーバ１の制御部１０１は、クライアント装置からの検索要求を受信したか否か判別し（ステップＳ５１）、検索要求を受信してはいないと判別したときには、その他の処理を実行し（ステップＳ５２）、その処理の終了後、処理をステップＳ５１に戻す。
【００７８】
ステップＳ５１で、検索要求を受信したと判別したときには、制御部１０１は、その検索要求に含まれる検索用情報から、検索目的の語および検索条件の語を抽出して、検索目的および検索条件を認定する（ステップＳ５３）。
【００７９】
次に、制御部１０１は、認定した検索条件で、認定した検索目的の検索が可能なＷｅｂサイトを、サイトデータベース１１０から検索して抽出する（ステップＳ５４）。そして、制御部１０１は、抽出したＷｅｂサイトの一覧リストを生成して、検索要求してきたクライアント装置に回答するようにする（ステップＳ５５）。
【００８０】
次に、制御部１０１は、クライアント装置から、一覧リストから選択されたＷｅｂサイトの識別情報を受信したか否か判別する（ステップＳ５６）。このステップＳ５６で、一覧リストから選択されたＷｅｂサイトの識別情報を受信してはいないと判別したときには、クライアント装置におけるユーザによる支援プログラムの終了操作に基づくアクセス切断要求があったか否かにより、サービス終了であるか否か判別する（ステップＳ５９）。このステップＳ５９で、サービス終了ではないと判別したときには、制御部１０１は、処理をステップＳ５６に戻し、サービス終了であると判別したときには、この処理ルーチンを終了する。
【００８１】
また、ステップＳ５６で、一覧リストから選択されたＷｅｂサイトの識別情報を受信したと判別したときには、制御部１０１は、受信した識別情報で特定されるＷｅｂサイトのＵＲＬをサイトデータベース１１０から取得して、そのＷｅｂサイトへ、受信した情報に含まれている検索条件を送って検索を要求する（ステップＳ５７）。
【００８２】
そして、その検索要求に応じてＷｅｂサイトから送られてくる検索結果としてのＷｅｂページを受信し、それをＷｅｂサイトの識別情報を送ってきたクライアント装置に転送する（ステップＳ５８）。このステップＳ５８の次には、制御部１０１は、処理をステップＳ５９に進め、前述したステップＳ５９以降の処理を実行する。
【００８３】
ここで、ステップＳ５３〜ステップＳ５５における処理内容を、幾つかの具体例について更に説明する。
【００８４】
［例１］
クライアント装置で入力された検索内容の自由文が「六本木でデートに向くバーを探したい」である場合には、ステップＳ５３では、「六本木」「デート」「バー」を検索条件として認定し、また、「探したい」を検索目的として認定する。そして、ステップＳ５４では、「六本木」「デート」「バー」を検索条件として、「探したい」という検索目的での検索が可能なＷｅｂサイトを、サイトデータベース１１０から検索して抽出する。そして、ステップＳ５５で、抽出したＷｅｂサイトのサイト名の一覧リストを生成してクライアント装置に送信する。
【００８５】
［例２］
クライアント装置で入力された検索内容の自由文が「デートに向く店を予約したい」である場合には、ステップＳ５３では、「デート」「店」を検索条件として認定し、また、「予約したい」を検索目的として認定する。そして、ステップＳ５４では、検索目的としての「予約したい」に対応して、「デート」「店」という検索条件で、予約ができるＷｅｂサイト、あるいは予約するための情報が記載されているＷｅｂサイトを、サイトデータベース１１０から検索して抽出する。そして、ステップＳ５５で、抽出したＷｅｂサイトのサイト名の一覧リストを生成してクライアント装置に送信する。
【００８６】
［例３］
クライアント装置で入力された検索内容の自由文が「デートに向くスポットを知りたい」である場合には、ステップＳ５３では、「デート」「スポット」を検索条件として認定し、また、「知りたい」を検索目的として認定する。そして、ステップＳ５４では、検索目的としての「知りたい」に対応して、「デート」「スポット」という検索条件で、口コミ等が記載されている評価サイトを、サイトデータベース１１０から検索して抽出する。そして、ステップＳ５５で、抽出したＷｅｂサイトのサイト名の一覧リストを生成してクライアント装置に送信する。
【００８７】
［例４］
クライアント装置で入力された検索内容の自由文が「パソコンで３Ｄビデオを見るソフトを教えて欲しい」である場合には、ステップＳ５３では、「パソコン」「３Ｄビデオ」「ソフト」を検索条件として認定し、また、「教えて欲しい」を検索目的として認定する。そして、ステップＳ５４では、検索目的としての「教えて欲しい」に対応して、知恵袋系のＱ＆Ａサイトをサイトデータベース１１０から検索して抽出する。そして、ステップＳ５５で、抽出したＷｅｂサイトのサイト名の一覧リストを生成してクライアント装置に送信する。あるいは、この例４の場合には、知恵袋系のＱ＆Ａサイトに、検索条件「パソコン」「３Ｄビデオ」「ソフト」と同じ検索条件があれば、そのＷｅｂページを一覧リストとして、クライアント装置に回答するようにしても良い。
【００８８】
［実施形態の効果］
以上説明したように、上述の実施形態によれば、ユーザが指定した検索目的に合致しないＷｅｂサイトを排除した検索結果を得ることができる。
【００８９】
そして、上述の実施形態によれば、自由文により検索文を入力することができると共に、いずれの語が検索に有効であるかをユーザに明示するようにしたので、ユーザは、入力した検索文が、自分が所望する検索内容を適切に反映したものとなっているかどうかを確実に把握することができる。
【００９０】
また、検索目的が不明確であるときには、クライアント装置からサイト検索支援サーバに検索要求を発信させないようにしてので、無駄な検索要求がサイト検索支援サーバに送られてしまうという問題を回避できる。
【００９１】
［他の実施形態および変形例］
なお、上述の実施形態では、サイト検索支援サーバ１からのＷｅｂサイトの検索結果の回答情報に対して、クライアント装置は、選択したＷｅｂサイトについての指定した検索条件による検索を、サイト検索支援サーバ１に依頼するようにした。しかし、サイト検索支援サーバ１からのＷｅｂサイトの検索結果の回答情報に、ＷｅｂサイトのＵＲＬの情報を含めるようにして、クライアント装置の支援プログラムが、そのＵＲＬを用いて、直接、ユーザが選択したＷｅｂサイトにアクセスして、Ｗｅｂページの検索をするようにしてもよい。その場合には、クライアント装置は、サイト検索支援サーバ１に検索要求したときの検索用情報に含まれる検索条件を保持しておいて、その保持した検索条件を用いて、Ｗｅｂサイトを検索するようにするものである。
【００９２】
また、上述の実施形態では、クライアント装置では、自由文により、検索目的および検索条件を含む検索用情報の入力を受け付けるようにした。しかし、検索目的は、予め用意されている動詞からなる語を、ユーザにより選択させるようにしても良い。
【００９３】
すなわち、例えば図１１に示すように、ディスプレイ２１１の表示画面に、検索条件の入力欄２２５とは別に検索目的の選択入力欄２２６を設ける。ユーザは、検索条件については、入力欄２２５を通じて入力する。また、検索目的については、選択入力欄２２６において、プルダウンメニューとして、用意されている全ての検索目的の動詞を表示させることができるようにする。そして、ユーザは、そのプルダウンメニューの中から、所望の検索目的の動詞を選択して入力するようにする。なお、この場合に、入力欄２２５への検索条件の入力は、上述の実施形態と同様に自由文による入力であっても良いし、検索条件の単語の入力であっても良い。
【００９４】
また、検索条件および検索目的を特定するための検索用情報の入力方法は、上述の例に限られるものではなく、検索条件および検索目的を特定することができる方法であれば、どのような方法であっても良い。
【００９５】
また、上述の実施形態では、検索結果としては、検索目的および検索条件に適合するＷｅｂサイトのサイト名などの識別名の一覧リストを表示するようにしたが、検索結果情報の呈示方法としては、このサイト名の一覧リストによる呈示に限られるものではない。
【００９６】
例えば、検索目的および検索条件に適合するとして抽出されたＷｅｂサイトのそれぞれに対して、前記検索条件で検索依頼をし、その検索依頼に応じて前記Ｗｅｂサイトから送られてくる検索結果のＷｅｂページを取得する。そして、クライアント装置は、取得したＷｅｂページを、図１２に示すように、それぞれのＷｅｂサイト毎に、別ウィンドウ２２７ａ，２２７ｂ，２２７ｃ，２２７ｄ，２２７ｅ，２２７ｆとして表示するようにする。
【００９７】
なお、この場合に、検索目的および検索条件に適合するとして抽出されたＷｅｂサイトのそれぞれに対する検索依頼は、サイト検索支援サーバ１が、サイトデータベース１１０に格納されているＵＲＬを用いて行っても良いし、サイト検索支援サーバ１が、検索目的および検索条件に適合するとして抽出されたＷｅｂサイトの識別情報と共に、そのＵＲＬをクライアント装置に送り、それを受信したクライアント装置が、その取得したＵＲＬを用いて行うようにしても良い。
【００９８】
なお、この図１２の検索結果の呈示は、サイト名の一覧リストによる呈示に代えて行っても良いし、サイト名の一覧リストによる呈示に加えて行っても良い。
【００９９】
また、上述の実施形態では、Ｗｅｂサイトの識別情報は、Ｗｅｂサイトのサイト名を用いるようにしたが、アドレス情報（ＵＲＬ）をＷｅｂサイトの識別情報として用いてユーザに呈示するようにしても良いし、その他のユーザに呈示できる情報を識別情報として用いるようにしても良い。例えば、Ｗｅｂサイトにシンボルマークが定義されているときには、そのシンボルマークを用いるようにしても良い。
【符号の説明】
【０１００】
１…サイト検索支援サーバ、２ｂ…クライアント装置の例としての携帯電話端末、１１０…サイトデータベース、
【図１】
0005588422.tif 000002
【図２】
0005588422.tif 000003
【図３】
0005588422.tif 000004
【図４】
0005588422.tif 000005
【図５】
0005588422.tif 000006
【図６】
0005588422.tif 000007
【図７】
0005588422.tif 000008
【図８】
0005588422.tif 000009
【図９】
0005588422.tif 000010
【図１０】
0005588422.tif 000011
【図１１】
0005588422.tif 000012
【図１２】
0005588422.tif 000013